【事件の表示】
　特許第２９７８７４９号「トリフェニルボラン−アルキルアミン錯化合物を含有する漁網防汚剤」の請求項１ないし１６に係る特許に対する特許異議の申立てについて、次のとおり決定する。
【結　論】
　訂正を認める。
　特許第２９７８７４９号の請求項１ないし９に係る特許を維持する。
【理　由】
Ｉ．手続の経緯
　本件特許第２９７８７４９号は、平成７年１１月２４日（優先権主張　平成６年１１月２４日、平成７年２月２７日　日本）に出願され、平成１１年９月１０日にその発明について特許権の設定登録がされ、その後、野田村栄一より特許異議の申立てがされ、取消理由が通知され、その指定期間内である平成１２年１１月２１日付けで訂正請求がされたものである。
II．訂正の適否について
１．訂正の内容
　特許権者は、訂正明細書のとおりの訂正を求めており、その内容は以下のとおりである。
　ア．訂正事項ａ
　特許請求の範囲の請求項１、３、４及び７の記載について、「これらを溶解する有機溶剤」とあるのを「キシレン」と訂正する。
　イ．訂正事項ｂ
　特許請求の範囲の請求項５の記載について、「これらを溶解する芳香族炭化水素」とあるのを「キシレン」と訂正する。
　ウ．訂正事項ｃ
　特許請求の範囲の請求項１、３、４、５及び７の記載について、「有機溶剤溶解型」を「キシレン溶解型」と訂正する。
　エ．訂正事項ｄ
　特許請求の範囲の請求項７の記載について、「１，３−ジシマノテトラクロルベンゼン、２−（チオシアノメチルチオ）ベンゾチアゾール、」及び
「、一般式
【化３】（式省略）
（式中、Ｒ３は水素、アルキル基、ハロゲン置換アルキル基、シクロアルキル基、フェニル基、アルキル置換フェニル基、ハロゲン置換フェニル基、ベンジル基、アルキル置換ベンジル基、ハロゲン置換ベンジル基を示す。）により表される２，３−ジクロロマレイミド類の１種または２種以上、一般式
【化４】（式省略）
（式中、Ｒ４，Ｒ５，Ｒ６は、同一または異なって水素、アルキル基、ハロゲン置換アルキル基、シクロアルキル基、フェニル基、ハロゲン、アルコキシ基、カルボニル基、アルケニル基、アラルキル基を示す。）により表されるフェノール類の１種または２種以上の中から選ばれる化合物の１種または２種以上」とあるのを削除する。
　オ．訂正事項ｅ
　特許請求の範囲の請求項９、１０及び１２ないし１６を削除する。
　カ．訂正事項ｆ
　特許請求の範囲の請求項１１の記載について、「請求項９に記載のトリフェニルボラン−ｎ−ヘキサデシルアミン錯化合物を有効成分として含有し、さらに、これを溶解する有機溶剤からなることを特徴とする有機溶剤溶解型の漁網防汚剤。」とあるのを「請求項１記載のトリフェニルボラン−アルキルアミン錯化合物がトリフェニルボラン−ｎ−ヘキサデシルアミン錯化合物であることを特徴とする請求項１記載の魚網用防汚剤。」と訂正し、請求項９として繰り上げる。
　キ．訂正事項ｇ
　段落【００１６】（３箇所）及び【００２２】の記載について、「、これらを溶解する有機溶剤」とあるのを「キシレン」と訂正する。
　ク．訂正事項ｈ
　段落【００１６】の記載について、「これらを溶解する芳香族炭化水素」とあるのを「キシレン」と訂正する。
　ケ．訂正事項ｉ
　段落【００１６】（４箇所）及び【００２２】の記載について、「有機溶剤溶解型」とあるのを「キシレン溶解型」に訂正する。
　コ．訂正事項ｊ
　段落【００１６】の記載について、「１，３−ジシアノテトラクロロベンゼン（以下、化合物（ii）ともいう、２−（チオシアノ）メチルチオベンゾチアゾール（以下、化合物（iii）ともいう）、」を、段落【００１８】の記載について、「一般式」を削除し、段落【００１９】〜【００２１】の記載及び段落【００２２】の記載について、「（式中、Ｒ４，Ｒ５，Ｒ６は、同一または異なって水素、アルキル基、ハロゲン置換アルキル基、シクロアルキル基、フェニル基、ハロゲン、アルコキシ基、カルボニル基、アルケニル基、アラルキル基を示す。）により表されるフェノール類の１種または２種以上の中から選ばれる化合物の１種または２種以上」を削除する。
　サ．訂正事項ｋ
　段落【００２２】の記載について、「トリフェニルボラン−ｎ−ヘキサデシルアミン錯化合物」とあるのを「（１）に記載されたトリフェニルボラン−アルキルアミン錯化合物が、トリフェニルボラン−ｎ−ヘキサデシルアミン錯化合物であることを特徴とする（１）に記載の漁網防汚剤」と訂正する。
　シ．訂正事項ｌ
　段落【００２２】の記載について、「（１０）：（９）に記載のトリフェニルボラン−ｎ−ヘキサデシルアミン錯化合物を・・・ベンゾチアゾール、一般式」を、段落【００２３】ないし【００２７】の記載を、及び段落【００２８】の記載について、末行の「に関する。」を除いて削除する。
　ス．訂正事項ｍ
　段落【００３５】、【００３６】の記載を削除する。
　セ．訂正事項ｎ
　段落【００４１】の記載について、「化合物（ii）、化合物（iii）、化合物群（iv）、化合物群（ｖ）および化合物群（vi）」とあるのを「化合物群（iv）」と訂正する。
　ソ．訂正事項ｏ
　段落【００４３】の記載を「有機溶媒としては、特にキシレンが錯化合物を２５重量％以上に溶解させることができるので、本発明の溶剤にふさわしい。」と訂正する。
　タ．訂正事項ｐ
　削除された段落以降の段落の番号を順次繰り上げる。
２．訂正の目的の適否、新規事項の有無及び拡張・変更の存否
　ア．訂正事項ａないしｃは、特許請求の範囲の記載について、有機溶剤をキシレンに限定するものであるから、特許請求の範囲の減縮を目的とする訂正に該当する。
　イ．訂正事項ｄは、有効成分として選択される化合物群を一部削除するものであるから、特許請求の範囲の減縮を目的とする訂正に該当する。
　ウ．訂正事項ｅは、請求項の削除であるから、特許請求の範囲の減縮を目的とする訂正に該当する。
　エ．訂正事項ｆは、訂正事項ｅにより削除された請求項９に代えて請求項１を引用するものとし、また、請求項を繰り上げる訂正であるから、明りょうでない記載の釈明を目的とする訂正に該当する。
　オ．訂正事項ｇないしｐは、訂正事項ａないしｆの訂正により不整合となる明細書の訂正であるから、明りょうでない記載の釈明を目的とする訂正に該当する。
　そして、上記訂正は、いずれも明細書に記載した事項の範囲内のものであり、また、実質上特許請求の範囲を拡張し、または変更するものでもない。
３．むすび
　したがって、上記訂正は、特許法第１２０条の４第２項及び同条第３項で準用する同法第１２６条第２項及び第３項の規定に適合するので、当該訂正を認める。
III．特許異議の申立てについての判断
１．本件発明
　上記II．で示したように上記訂正が認められるから、本件の請求項１ないし９に係る発明（以下、「本件発明１ないし９」という。）は、上記訂正請求に係る訂正明細書の特許請求の範囲の請求項１ないし９に記載された事項により特定される次のとおりのものである。
「【請求項１】一般式
【化１】
（式中、Ｒ１は炭素数３から３０までのアルキル基を示す。）により表されるトリフェニルボラン−アルキルアミン錯化合物の１種または２種以上を有効成分として含有し、さらに、キシレンからなることを特徴とするキシレン溶解型の漁網防汚剤。
　【請求項２】トリフェニルボラン−アルキルアミン錯化合物の１種または２種以上の合計の配合量が１重量％から２５重量％未満であるところの請求項１に記載の漁網防汚剤。
　【請求項３】請求項１に記載のトリフェニルボラン−アルキルアミン錯化合物の１種または２種以上を有効成分として含有し、さらに、キシレンからなることを特徴とするキシレン溶解型の腔腸動物付着防止用漁網防汚剤。
　【請求項４】請求項１に記載のトリフェニルボラン−アルキルアミン錯化合物の１種または２種以上を有効成分として含有し、さらに、キシレンからなることを特徴とするキシレン溶解型の養殖網用防汚剤。
　【請求項５】請求項１に記載のトリフェニルボラン−アルキルアミン錯化合物のうち、アルキルアミンの炭素数が３、または、８から１８である錯化合物の１種または２種以上を有効成分として含有し、さらに、キシレンからなることを特徴とするキシレン溶解型の漁網防汚剤。
　【請求項６】請求項１に記載のトリフェニルボラン−アルキルアミン錯化合物のうち、アルキルアミンがｎ−プロピルアミン、ｎ−オクチルアミン、２−エチルヘキシルアミン、ｎ−ドデシルアミン、ｎ−ヘキサデシルアミン、ｎ−オクタデシルアミンである錯化合物の１種または２種以上を有効成分として含有する請求項５に記載の漁網防汚剤。
　【請求項７】請求項１、５または６に記載のトリフェニルボラン−アルキルアミン錯化合物の１種または２種以上と、一般式
【化２】
（式中、Ｒ２は、炭素数１〜４個のアルキル基を示す。）により表されるテトラアルキルチウラムジスルフィッド類の１種または２種以上とを有効成分として含有し、さらに、キシレンからなることを特徴とするキシレン溶解型の漁網防汚剤。
　【請求項８】溶出調整剤として一般式Ｒ７−（Ｓ）ｎ−Ｒ７（式中、Ｒ７は炭素数１〜２０個のアルキル基を示し、ｎは２〜１０の整数を示す。）により表されるジアルキルポリスルフィッド類、平均分子量が２００〜１０００を有するポリブテン、パラフィン類およびワセリンから選ばれる１種または２種以上を含有することを特徴とする請求項１、２、３、４、５、６または７に記載の漁網防汚剤。
　【請求項９】請求項１に記載されたトリフェニルボラン−アルキルアミン錯化合物が、トリフェニルボラン−ｎ−ヘキサデシルアミン錯化合物であることを特徴とする請求項１に記載の漁網防汚剤。」
２．異議申立ての理由の概要
　異議申立人は、証拠として甲第１号証ないし甲第６号証を提出して、訂正前の本件の請求項１ないし１６に係る発明は、甲第１号証ないし甲第６号証に記載された発明に基づいて当業者が容易に発明をすることができたものであるから、訂正前の本件の請求項１ないし１６に係る特許は、特許法第２９条第２項の規定に違反してされたものであり、取り消されるべき旨主張している。
　甲第１号証：米国特許第３，２１１，６７９号明細書
　甲第２号証：特公平２−２４２４２号公報
　甲第３号証：特開平５−２０１８０４号公報
　甲第４号証：国際公開第ＷＯ９０／１４０１１号パンフレット
　甲第５号証：特公昭６４−１１６０６号公報
　甲第６号証：特開昭６０−３８３０６号公報
３．甲号各証に記載された事項
　甲第１号証には、「本発明のこれらのおよび他の目的にしたがって、実質的に完全な海中防汚を与える組成物が、有効量（約２５重量％以上）の、トリフェニルボランと・・・式：
Ｒ２ＮＨ２（式中、Ｒ２は約４〜２０の炭素原子を含む脂肪族炭価水素基である）で表される脂肪族アミンよりなる群から選ばれる化合物との錯化合物を、実質的に水不溶性のフィルム形成性ビヒクル中に混入することによって得られることが見出された。
これらのアミン錯化合物は、おおざっぱに言って、公知の化合物であり、公知の方法、例えば、トリアリールボランのエーテル溶液を調製し、所望のアミンを導入することによって製造され得る。これらの錯化合物は等モル割合で形成されるように思われる。そして、通常、直ちに、エーテル不溶性錯化合物の沈殿が生じる。製造は空気の不存在下で行なわれる。トリフェニルボラン錯体の具体的な製造方法はベリヒテ（Ｂｅｒｉｃｈｔｅ）、第５７Ｂ巻、８１３頁、１９２４年に記載されている。多くのこれらの錯化合物について入手可能な未修正の融点を含む下記の記述はそれらを特徴づけるのに役立つであろうし、本発明の組成物に有用なトリフェニルボラン−アミン錯化合物を一般的によく説明している。
トリフェニルボランと下記アミンとの錯化合物　　融点または外観
メチルアミン　　　　　　　　　　　　　　　　１９５〜２１３℃
ドデシルアミン　　　　　　　　　　　　　　　黄褐色グリース状
ｎ−テトラデシルアミン　　　　　　　　　　　黄褐色オイル状
ピリジン　　　　　　　　　　　　　　　　　　１８２〜２０２℃
ビス（４−ピリジル）グリコール　　　　　　　１７３〜１８１℃
γ−ピコリン　　　　　　　　　　　　　　　　１３５〜１４５℃
本発明に有用なトリフェニルボランとの錯化合物を形成する他のアミンは、３−ブロモピリジン、４−エチルピリジン、４−ブチルピリジン、ピリジン−３−カルボン酸ジエチルアミド、イソニコチン酸ジエチルアミド、イソニコテイン（ｉｓｏｎｉｃｏｔｅｉｎｅ）、４−（４−ピリジル）−ピペリジン、ｎ−ブチルアミン、デシルアミン、ドデシルアミン、ｎ−テトラデシルアミン、オクタデシルアミン等である。」（第２欄１〜５２行）、「トリフェニルボラン−アミン錯体は一般的に海洋塗料に実質的に溶解せず、ほとんどが微細結晶としてあるいは液状粒子として懸濁された状態にとどまる傾向を有し、従って、ある程度顔料として作用する。」（第２欄６８行〜第３欄１行）と記載されている。
　甲第２号証には、「１　一般式（式省略）
（式中、Ｘ，Ｙは低級アルキル基を示し、互いに同一または異なつていてもよい）
で表わされる２，３−ジクロル−Ｎ−（２’，６’−ジアルキルフエニル）マレイミドを有効成分とすることを特徴とする水中付着生物防除剤。」（特許請求の範囲）、「（産業上の利用分野）本発明は、船底防汚塗料、漁網防汚塗料などに用いられる水中付着生物防除剤に関するものである。」（第１欄１５〜１８行）、「溶媒としては・・・キシレン・・・などが使用される。」（第４欄２１〜２２行）、「実施例１　イ安定性試験　漁網用防汚塗料は有効成分化合物を溶媒に溶解した溶液型と溶媒に不要な化合物の場合に溶媒中に均一に分散させた分散型とがある。この中で貯蔵安定性、作業性の点から溶液型が好ましい。そこで、本発明に用いられる一般式（Ｉ）の化合物および比較化合物について次の処方により溶液型の漁網用防汚塗料を調製し、それぞれの貯蔵安定性試験を行った。
　　漁網用防汚塗料　　　　　　　　　　（重量％）
　　化合物　　　　　　　　　　　　　　　１０％
　　ロジンＷＷ　　　　　　　　　　　　　１３％
　　トヨパラツクスＡ40　　　　　　　　　　１％
　　キシレン　　　　　　　　　　　　　　７６％
　（トヨパラツクス；商品名、東洋曹達（株）製、塩化パラフィン）」（第９欄３５〜第１０欄７行）と記載されている。
　甲第３号証には、「一般式【化２】・・・により表されるマレイミド化合物と、（ｉ）・・・(ii)・・・（iii）・・・(iv)・・・から選ばれる（ｉ）から(iv)の化合物の１種類以上を有効成分として含有することを特徴とする水中防汚剤。」（特許請求の範囲の請求項２）、「本発明は、・・・漁網・・・などに対して、水棲汚損生物の付着を防止するための・・・水中防汚剤に関する。」（段落【０００１】）、「実施例１　処方例にしたがって、各成分を混合溶解して漁網用防汚剤を調製した。
　　処方例１
　　化合物１　　　　　　　　　　　　　　１５％
　　アクリル樹脂（５０％キシレン液）　　５０％
　　キシレン　　　　　　　　　　　　　　３５％」と記載されている。
　甲第４号証には、
「１．下記の成分Ａ〜Ｃを含有する海中防汚処理剤。
　Ａ）次の成分Ａ１からＡ５のうちいずれか1種；
　　・・・
　Ｂ）皮膜形成物質
　Ｃ）次の一般式（１）；
　　Ｒ１−（Ｓ）ｎ−Ｒ２　・・・（１）
で示されるジアルキルポリスルフィドの群から選ばれる少なくとも1種。
２．請求の範囲第１項記載の海中防汚処理剤において、さらに次の成分Ｄを追加配合した海中防汚処理剤。
　Ｄ）重合度２〜１００ポリブテン。」（請求の範囲）、「技術分野　本発明は、浸海される繊維状あるいはロープ状資材を処理するための、新規な海中防汚処理剤に関する。」（第１頁３〜５行）、「実施例１〜１８・・・＜海中防汚処理剤の調製＞第２表の配合に準じてビーカーへ全組成を入れてデイゾルバーで攪拌溶解して実施例および比較例の各処理剤を調製した。」（第１０頁〜第１３頁、特に第２表（１）〜（３）記載のキシレン参照）
　甲第５号証には、「１　テトラクロロイソフタルニトリル、一般式・・・で表わされる化合物の一種以上、およびこれらを溶解するキシレン・・・からなる溶液に、一般式・・・で表わされる化合物を含有することを特徴とする漁網防汚用溶液。」（特許請求の範囲）と記載されている。
　甲第６号証には、「１．・・・から選ばれる１種または２種以上と下記一般式［Ｉ］・・・および下記一般式［II］・・・の群から選ばれる１種または２種以上を含有してなることを特徴とする漁網用防汚剤。」（特許請求の範囲）、「本発明において、防汚剤は・・・有機溶剤溶液である。・・・有機溶剤としては、・・・キシレン・・・を使用することができる。」（第３頁左上欄１０行〜同右上欄７行）と記載されている。
４．対比・判断
　［本件発明１について］
　本件発明１と甲第１号証に記載された発明とを対比する。
　甲第１号証には、海中防汚を与える組成物が記載されているが、組成は、トリフェニルボランとＲ２ＮＨ２（式中、Ｒ２は約４〜２０の炭素原子を含む脂肪族炭価水素基である）で表される脂肪族アミンよりなる化合物との錯化合物を、実質的に水不溶性のフィルム形成性ビヒクル中に混入することによって得られるものであり、性状は、トリフェニルボラン−アミン錯体は一般的に海洋塗料に実質的に溶解せず、ほとんどが微細結晶としてあるいは液状粒子として懸濁された状態にとどまる傾向を有し、ある程度顔料として作用するものである。
　それ故、両者は、トリフェニルボラン−アルキルアミン錯化合物の１種または２種以上を有効成分として含有する海中防汚を与えるものである点で一致するが、（１）本件発明１のものは、キシレン溶解型であるのに対し、甲第１号証記載のものは、溶剤溶解型ではなく、微細結晶あるいは液状粒子として懸濁された状態である点及び（２）本件発明１のものは、漁網防汚剤であるのに対し、甲第１号証記載のものは、海中防汚を与える組成物（海洋塗料）である点で相違する。
　その相違する点について検討すると、甲第２号証ないし甲第６号証には、キシレン溶解型の漁網防汚剤が記載されているが、防汚の有効成分はトリフェニルボラン−アルキルアミン錯化合物ではない。
　また、甲第１号証に記載された海中防汚を与える組成物（海洋塗料）は、一応漁網防汚剤を包含する概念ではあるが、漁網の内部にも浸透可能な溶剤（キシレン）溶解型ではなく、微細結晶あるいは液状粒子として懸濁された状態であり、顔料としての作用を言及することからみて、漁網ではなく海中の構造物に適用する塗料を意図するものとみるのが自然である。
　さらに、甲第１号証記載の該有効成分が、キシレンにどの程度溶解するのかは、甲号各証には記載がなく不明である。
　それらの事実を総合すると、甲第２号証ないし甲第６号証に記載されているように、漁網防汚剤としてキシレン溶解型の態様にすることが周知技術であるとしても、甲第１号証記載の該有効成分を含むものをキシレン溶解型に変えて、漁網防汚剤とするようにすることが当業者が容易に想到し得る事項とはいえない。
　そして、本件発明１において、キシレン溶解型にすることにより、均一な漁網防汚剤を製剤でき、網染めの作業性などを向上させた効果は明細書に記載されたとおり格別なものと認められる。
　したがって、本件発明１は、甲第１号証ないし甲第６号証に記載された発明に基づいて当業者が容易に発明をすることができたものとはいえない。
　［本件発明２ないし９について］
　本件発明２ないし９は、本件発明１を引用するものであり、本件発明１の前記特定事項をその特定事項とするものであるから、本件発明１についての判断と同じことがいえる。
　したがって、本件発明２ないし９は、甲第１号証ないし甲第６号証に記載された発明に基づいて当業者が容易に発明をすることができたものではない。
IV．むすび
　以上のとおりであるから、本件発明１ないし９に係る特許は、特許異議の申立ての理由及び証拠によっては取り消すことができない。
　また、他に本件発明１ないし９に係る特許を取り消すべき理由を発見しない。
　よって、結論のとおり決定する。　
【異議決定日】
平成１４年１２月６日（２００２．１２．６）
【訂正の要旨】
訂正の要旨
　審決（決定）の【理由】欄参照。
（５４）【発明の名称】
トリフェニルボラン−アルキルアミン錯化合物を含有する漁網防汚剤
（５７）【特許請求の範囲】
　【請求項１】　一般式
　【化１】
（式中、Ｒ１は炭素数３から３０までのアルキル基を示す。）により表されるトリフェニルボラン−アルキルアミン錯化合物の１種または２種以上を有効成分として含有し、さらに、
キシレン
キシレン
　【請求項２】　トリフェニルボラン−アルキルアミン錯化合物の１種または２種以上の合計の配合量が１重量％から２５重量％未満であるところの請求項１に記載の漁網防汚剤。
　【請求項３】　請求項１に記載のトリフェニルボラン−アルキルアミン錯化合物の１種または２種以上を有効成分として含有し、さらに、
キシレン
キシレン
　【請求項４】　請求項１に記載のトリフェニルボラン−アルキルアミン錯化合物の１種または２種以上を有効成分として含有し、さらに、
キシレン
キシレン
　【請求項５】　請求項１に記載のトリフェニルボラン−アルキルアミン錯化合物のうち、アルキルアミンの炭素数が３、または、８から１８である錯化合物の１種または２種以上を有効成分として含有し、さらに、
キシレン
キシレン
　【請求項６】　請求項１に記載のトリフェニルボラン−アルキルアミン錯化合物のうち、アルキルアミンがｎ−プロピルアミン、ｎ−オクチルアミン、２−エチルヘキシルアミン、ｎ−ドデシルアミン、ｎ−ヘキサデシルアミン、ｎ−オクタデシルアミンである錯化合物の１種または２種以上を有効成分として含有する請求項５に記載の漁網防汚剤。
　【請求項７】　請求項１、５または６に記載のトリフェニルボラン−アルキルアミン錯化合物の１種または２種以上と、一般式
　【化２】
（式中、Ｒ２は、炭素数１〜４個のアルキル基を示す。）により表されるテトラアルキルチウラムジスルフィッド類の１種または２種以上とを有効成分として含有し、さらに、
キシレン
キシレン
　【請求項８】　溶出調整剤として一般式Ｒ７−（Ｓ）ｎ−Ｒ７（式中、Ｒ７は炭素数１〜２０個のアルキル基を示し、ｎは２〜１０の整数を示す。）により表されるジアルキルポリスルフィッド類、平均分子量が２００〜１０００を有するポリブテン、パラフィン類およびワセリンから選ばれる１種または２種以上を含有することを特徴とする請求項１、２、３、４、５、６または７に記載の漁網防汚剤。
　【請求項９】　
請求項１に記載されたトリフェニルボラン−アルキルアミン錯化合物が、
であることを特徴とする請求項１に記載の漁網防汚剤。
【発明の詳細な説明】
　【０００１】
　【発明の属する技術分野】
　本発明は養殖用または定置用の漁網、あるいは、漁網に使用される浮き子とロープなどの資材などに対し使用することにより、腔腸動物、貝類、管棲多毛類、および、その他の海棲付着生物による汚損を防止し、さらに、有効成分が有機溶剤に可溶であるために、網染めの作業性などが大きく改善された漁網防汚剤に関する。
　【０００２】
　【従来の技術】
　養殖用または定置用の漁網類は、海中に長期間保持されるため、ヒドロ虫などの腔腸動物、貝類、管棲多毛類、海藻類、コケムシ、軟体動物類などの海棲汚損生物が激しく付着する。汚損生物の付着は、漁網に大きな経済的損失を与えるため、多大の労力と費用をかけて、これら被汚損対象物の保守に努めているのが現状である。
　【０００３】
　これまで、付着生物への対策として種々の研究、提案がなされてきた。実用的には一連の有機錫化合物が有効であることが知られている。しかし、有機錫化合物は概して毒性が強く、これらを含有する商品を不用意に取り扱うと取扱者に障害を及ぼす恐れがあるうえに、環境を破壊する可能性もある。この様な理由から低公害性の水中防汚剤の出現が望まれるようになった。たとえば、特公昭５１−１０８４９号公報にはベンゾチアゾール化合物を有効成分とする水中防汚塗料が、特開昭６０−３８３０６号公報、特開昭６３−２８４２７５号公報、特公平１−１１６０６号公報にはテトラアルキルチウラムジスルフィッド化合物とその他の水中防汚剤化合物とを組み合わせた種々の漁網用防汚剤、防汚塗料組成物、漁網防汚用溶液が、特公昭６１−５０９８４号公報には３−イソチアゾロン化合物を有効成分とする海洋構築物の汚染防止剤が、特公平１−２０６６５号公報、特公平２−２４２４２号公報、特開昭５３−９３２０号公報、特開平５−２０１８０４号公報、特開平６−１００４０５号公報、特開平６−１００４０８号公報などにはマレイミド化合物を有効成分とする防汚塗料がそれぞれ開示されている。
　【０００４】
　しかし、これらの防汚剤は、いずれもヒドロ虫などの腔腸動物に対する付着防止効果が弱く、腔腸動物発生海域では使用できなかった。腔腸動物発生海域とは、主に、定置網の使用される東北地方と北海道沿岸である。ヒドロ虫は漁網に付着すると、短期間にすさまじい勢いで繁殖し、網目を完全に塞いでしまい、漁網としての用をなさなくする。また、ヒドロ虫の体の一部が網に残存すると、その部分から再びヒドロ虫が繁殖するので、除去作業は完全に行わなければならないが、ヒドロ虫は非常に強固に付着するため、完全に除去するのは極めて困難である。
　【０００５】
　以上述べた理由より、ヒドロ虫は最も被害が大きい上に、最も対策が難しい海棲付着生物である。従って、特に最近ではヒドロ虫などの腔腸動物に有効な定置網用防汚剤の開発が熱望されてきている。ところで、特開平６−１５７２１９号公報には水不溶性ジチオカルバミン酸金属塩を有効成分とする腔腸動物付着防止用水中防汚剤が開示されている。しかし、これらの化合物はキシレンなどの有機溶剤に不溶であるため、得られた防汚剤は有効成分を分散させた分散型となる。このような分散型漁網防汚剤は、使用前によく撹拌、混合しなければ、その効力を充分に発揮しないため、網染めとよばれる防汚加工処理時の作業性が非常に悪い。また、長期間、放置しておくと、有効成分が沈降、凝集し、再分散しなくなるおそれもある。
　【０００６】
　一方、養殖用漁網に付着する生物のうち、貝類と管棲多毛類に対しては、先に記した従来の防汚剤では、その付着防止効果が弱く、これらの生物の付着を防止することはできなかった。養殖用漁網における貝類や管棲多毛類の付着による具体的な被害としては、第一に、エサやりや網替えなど、漁網を海上に持ち上げる作業の際、これらの生物の付着によって漁網の重量が増大し、作業が困難になる事、第二に、これらの付着生物は硬い石灰質で覆われているため、魚に傷をつけ、商品価値を落とすおそれがある事、第三に、これらの付着生物は、非常に強固に付着するため、除去作業が極めて困難である事などがあげられる。
　【０００７】
　このように、養殖用漁網の場合、貝類と管棲多毛類による被害は、他の付着生物による被害と比べ特に大きく、そして、これらの生物の付着を防止するのは、従来の防汚剤では難しい。従って、貝類と管棲多毛類に有効な養殖網用防汚剤の開発も強く望まれている。貝類に対しては銅が有効である事が知られており、事実、銅系の漁網防汚剤が貝類と管棲多毛類に対し効果があることが確認された。しかし、銅系の漁網防汚剤には、様々な欠点がある。例えば、重金属の銅を利用しているため環境に悪影響を及ぼす可能性がある事、処理した漁網が硬く、そして、重くなるためエサやりや網替え時の作業性が悪い事、値段が高い事、一度使用した漁網を再度、銅系漁網防汚剤で処理すると効力が低下する事などである。加えて、銅系の漁網防汚剤の最大の欠点は、有効成分がキシレンなどの有機溶剤に溶解しないため、得られた防汚剤が分散型となることである。分散型漁網防汚剤の欠点は、前述した通りである。
　【０００８】
　ところで、米国特許第３２１１６７９号明細書には、炭素数が４から２０までのアルキルアミンなどを用いたトリフェニルボラン−アルキルアミン錯化合物を有効成分として２５重量％以上含有する防汚塗料が記載されている。しかし、本特許明細書には当該錯化合物をキシレンなどの有機溶剤に溶解させることにより、網染めの作業性などが大きく改善された漁網防汚剤を与えることについて全く示唆されていない。加えて、当該錯化合物を有効成分として利用するヒドロ虫などの腔腸動物、あるいは、貝類、および、管棲多毛類に対する防汚効果が特にすぐれている漁網防汚剤についても示唆されていない。
　【０００９】
　また、トリフェニルボラン−ヘキサデシルアミン錯化合物は、上記米国特許第３２１１６７９号明細書やその他の文献には記載がない化合物である。
　【００１０】
　【発明が解決しようとする課題】
　本発明は、主に定置用漁網に付着するヒドロ虫などの腔腸動物、および、貝類や管棲多毛類などの養殖用漁網に付着する生物に対し、すぐれた防汚効果を示し、さらに、有効成分が有機溶剤に溶解するため、網染めの作業性などが著しく改善された有機溶剤溶解型の漁網防汚剤を提供することを目的とする。
　【００１１】
　また、重金属を含有しない低公害性の防汚剤を提供する事を、あわせて目的とする。
　【００１２】
　【課題を解決するための手段】
　本発明者らは、上記した従来の水中防汚剤の諸欠点を克服するために、鋭意研究に努力した結果、低毒性である為に環境汚染の恐れが少なく、さらに、溶解型であるため、作業性が大きく改善された漁網防汚剤を発明した。すなわち、トリフェニルボラン−アルキルアミン錯化合物が、ヒドロ虫などの腔腸動物、フジツボ、ムラサキイガイ、カキ、セルプラなどの貝類、および、カサネカンザシ、ヒトエカンザシ、ヤッコカンザシ、ウズマキゴカイなどの管棲多毛類、あるいはその他の生物の付着に対してすぐれた防汚効果を示し、さらに、キシレンなどの有機溶剤に可溶であるため、特に網染めにおいて極めて作業性のよい、実用的な製剤が可能であることを見いだし、本発明を完成させるに至った。なお、メチルアミン、および、エチルアミンのトリフェニルボラン−アミン錯化合物は、キシレンに対する溶解度が低く、本発明の目的に合わない。
　【００１３】
　網染めの際の作業性の良さに加えて、有機溶剤溶解型の漁網防汚剤には、次に述べるような長所がある。第一に防汚剤の消費量が少なく経済的である事、第二に処理網の重量が処理前とほとんど変わらず、かつ、柔らかさも保持される事、第三に一度使用した漁網を繰り返し処理しても効力が低下しない事、第四に長期間の保存に適している事などである。
　【００１４】
　すなわち、本発明は、（１）：一般式
　【００１５】
　【化３】
　【００１６】
（式中、Ｒ１は炭素数３から３０までのアルキル基を示す。）により表されるトリフェニルボラン−アルキルアミン錯化合物（以下、化合物群（ｉ）ともいう）の１種または２種以上を有効成分として含有し、さらに、
キシレン
キシレン
キシレン
キシレン
キシレン
キシレン
キシレン
キシレン
　【００１７】
　【化４】
　【００１８】
（式中、Ｒ２は、炭素数１〜４個のアルキル基を示す。）により表されるテトラアルキルチウラムジスルフィッド類（以下、化合物群（ｉｖ）ともいう）の１種または２種以上とを有効成分として含有し、さらに、
キシレン
キシレン
（１）に記載されたトリフェニルボラン−アルキルアミン錯化合物が、
であることを特徴とする（１）に記載の漁網防汚剤
　【００１９】
　【発明の実施の形態】
　本発明のトリフェニルボラン−アルキルアミン錯化合物は、下記の一般式により合成することができる。
　【００２０】
　【化５】
　【００２１】
（式中、Ｒ１は前記のとおりである。）すなわち、トリフェニルボランの水酸化ナトリウム付加体と相当するアルキルアミンを水溶液中で反応させることにより目的とするトリフェニルボラン−アルキルアミン錯化合物を合成することができる。得られた錯化合物は水に不溶であるため、ただちに分離する。分離した錯化合物が結晶化した場合は、濾取し、水洗した後、乾燥させればよい。また、結晶化しなかった場合は、トルエン、キシレンなどの有機溶媒で抽出し、水洗した後、溶液を無水硫酸マグネシウムなどで乾燥させ、溶媒を減圧で留去すれば、オイル状の錯化合物が得られる。反応温度は、室温で良いが、必要に応じて、０℃から６０℃まで変化させることができる。また、反応時間は３０分間から２日間である。
　【００２２】
　なお、ベリッヒテ（Ｂｅｒｉｃｈｔｅ）第５７Ｂ巻、８１３ページ（１９２４年）に記載の方法でも目的物を得ることができる。本発明で使用される化合物（ｉ）のＲ１は特に限定されるものではないが、ｎ−プロピル基、または、炭素数が８から１８のアルキル基が望ましい。炭素数が８から１８のアルキル基とは、例えば、２−エチルヘキシル、オクチル、ノニル、デシル、ドデシル、テトラデシル、ヘキサデシル、オクタデシル、３−エチルヘキシル、２，２−ジメチルヘキシル、２，３−ジメチルヘキシルなどである。
　【００２３】
　また、本発明で使用される化合物（ｉ）には、炭素数３から１８までの２種以上のアルキルアミン化合物を含有したアルキルアミン組成物を用いて合成した、トリフェニルボラン−アルキルアミン組成物であることも望ましい。Ｒ１として、炭素数が８から１８のアルキル基が望ましい理由として、アミンが低価格で経済的である事、合成収率が高い事などがあげられるが、最大の理由は防汚効果が高い事である。具体的には、後述の実施例に示すように、炭素数が８から１８の高級アミンの錯化合物を有効成分とする養殖網用防汚剤の有効期間は６ヶ月以上であり、炭素数が７以下の低級アミンの錯化合物を用いた養殖網用防汚剤の有効期間である４ヶ月より長く、持続性に優れている事、また、実験室で行われた基礎効力試験より、炭素数が３、または、８〜１８のアミンの錯化合物の効力は、炭素数が１９以上のアミンの錯化合物の効力より優れている事である。ただし、ｎ−プロピルアミンの錯化合物は、例外的に、炭素数が８から１８の高級アミンの錯化合物と同等の持続力を示した。また、炭素数が３、または、８から１８ではないアミンの錯化合物にも、最低４ヶ月は防汚効果が認められるため、防汚剤の有効成分として利用することが可能である。炭素数が３、または、８から１８ではないアミンの錯化合物のＲ１として例えば、ブチル、ペンチル、ヘキシル、ヘプチル、イコシル、ドコシル、テトラコシル、ヘキサコシル、オクタコシル、トリアコンチル、第２級ブチル、第３級ペンチル、１−メチルペンチル、２−メチルペンチルなどがあげられる。
　【００２４】
　本発明で使用される化合物群（ｉｖ）のＲ２はメチル、エチル、プロピル、イソプロピル、ブチルがあげられ、化合物としては、テトラメチルチウラムジスルフィッド、テトラエチルチウラムジスルフィッド、テトライソプロピルチウラムジスルフィッド、テトラ−ｎ−ブチルチウラムジスルフィッドなどがあげられる。
　【００２５】
　本発明のトリフェニルボラン−アルキルアミン錯化合物の配合量は、漁網防汚剤の適用環境によって任意に変更できるが、通常１重量％から２５重量％未満、好ましくは３重量％から２５重量％未満である。トリフェニルボラン−アルキルアミン錯化合物の配合量が１重量％以下の防汚剤は、充分な効果を発揮しない。一方、２５重量％以上の配合量の防汚剤は、２５重量％の配合量のものと効果の差が見られないので、コスト高になる分非経済的である。他の有効成分の配合量も任意に変更できるが、通常１〜３０重量％、好ましくは３〜２５重量％である。
　【００２６】
　溶出調整剤として使用される化合物群（ｖｉｉ）のＲ７はエチル、プロピル、第３級ブチル、第３級アミル、第３級ノニル、第３級ドデシル、ノナデシルが好ましく、化合物としては、ジエチルペンタスルフィッド、ジプロピルテトラスルフィッド、ジ第３級ブチルジスルフィッド、ジ第３級ブチルテトラスルフィッド、ジ第３級アミルテトラスルフィッド、ジ第３級ノニルペンタスルフィッド、ジ第３級ドデシルペンタスルフィッド、ジノナデシルテトラスルフィッドなどがあげられる。また、これらの混合物であってもよい。
　【００２７】
　また、溶出調整剤として使用される平均分子量が２００〜１０００を有するポリブテンとしては、例えば、日本石油（株）製のＬＶ−５、ＬＶ−１０、ＬＶ−２５、ＬＶ−５０、ＬＶ−１００、ＨＶ−１５、ＨＶ−３５、ＨＶ−５０、ＨＶ−１００、ＨＶ−３００などがあげられ、これらの混合物であってもよい。また、溶出調整剤として使用されるパラフィン類には、例えば、流動パラフィン、パラフィンワックス、塩化パラフィンなどがあげられ、これらの混合物であってもよい。
　【００２８】
　さらに、溶出調整剤として使用されるワセリンには、白色ワセリン、黄色ワセリンがあげられる。溶出調整剤として使用される化合物群（Ｖｉｉ）、ポリブテン、パラフィン類、およびワセリンから選ばれる化合物の配合量は、３〜２０重量％、望ましくは５〜１０重量％である。その各溶出調整剤の混合比は、使用条件により任意に変更できる。
　【００２９】
　本発明の漁網用防汚剤は通常の方法で容易に製造できる。たとえば有効成分のトリフェニルボラン−アルキルアミン錯化合物の１種または２種以上、あるいはそれと、化合物群（ｉｖ）から選ばれる化合物１種または２種以上とに、溶出調整剤として選ばれる化合物群（ｖｉｉ）の化合物、ポリブテン、パラフィン類およびワセリンの１種または２種以上、および樹脂を加えて、有機溶剤で溶解させればよい。
　【００３０】
　ここで、使用される樹脂としては、たとえば、ロジン樹脂、アクリル樹脂、ポリブテン樹脂、塩化ゴム樹脂、塩化ビニル樹脂、アルキッド樹脂、クマロン樹脂、エチレン−酢酸ビニル樹脂などがあげられる。これらの樹脂の１種を使用することもできるし、２種以上を併用することもできる。また、樹脂は特にこれらに限定されるものではない。
　【００３１】
　
有機溶媒としては、特にキシレンが錯化合物を２５重量％以上溶解させることができるので、本発明の溶剤にふさわしい。
　【００３２】
　本発明の漁網防汚剤は、低毒性で安全性が高く、かつ、長期にわたってヒドロ虫などの腔腸動物、フジツボ、ムラサキイガイ、カキ、セルプラなどの貝類、カサネカンザシ、ヒトエカンザシ、ヤッコカンザシ、ウズマキゴカイなどの管棲多毛類、および、その他の生物の付着に対し優れた防汚効果を示す。また、有効成分が有機溶剤に溶解するため、均一な溶解型の漁網防汚剤が得られ、網染めの作業性などを一段と改善する。
　【００３３】
　【実施例】
　以下に、合成例および実施例を示すが、本発明はこれらに限定されるものではない。なお、実施例中の配合は重量％を示す。
　【００３４】
　〔合成例１　トリフェニルボラン−ｎ−プロピルアミン錯化合物〕
　メカニカルスターラー、冷却管、滴下ロート、温度計を取り付けた１Ｌの四つ口フラスコに、トリフェニルボランの水酸化ナトリウム付加物水溶液（東京化成（株）の試薬；トリフェニルボランの水酸化ナトリウム付加物の含有率９．６％）を４６１．０ｇ入れ、撹拌を開始した。室温（２０℃）で３０分間かけて、ｎ−プロピルアミン（キシダ化学（株）の試薬）１０．８ｇをゆっくり滴下すると、ただちに結晶が析出した。そのまま室温で３時間撹拌し、反応を進行させた。結晶を吸引濾取した後、水洗を行い、過剰の水酸化ナトリウムと未反応のｎ−プロピルアミンを除去した。乾燥させると４２．２ｇ（収率９０％）の白色結晶が得られた。ＩＲ（赤外線吸収スペクトル）および元素分析値より目的物であることが確認された。
　【００３５】
　〔合成例２　トリフェニルボラン−ｎ−ヘキサデシルアミン錯化合物〕
　メカニカルスターラー、冷却管、滴下ロート、温度計を取り付けた１Ｌの四つ口フラスコに、ｎ−ヘキサデシルアミン（和光純薬工業（株）の試薬）５０．０ｇを入れ、内温を７５℃まで上げる。結晶が完全に溶解した後、撹拌下、トリフェニルボランの水酸化ナトリウム付加物水溶液（合成例１に記載した試薬）６４８．９ｇを１時間かけて、内温を７０℃〜７５℃に保ちながら、滴下する。滴下終了後、７０℃で３時間撹拌し、反応させる。その後、３０℃以下に冷却すると結晶が析出した。結晶を吸引濾取した後、水洗を行い、過剰の水酸化ナトリウムと未反応のｎ−ヘキサデシルアミンを除去した後、乾燥させると９０．１ｇ（収率９０％）の白色結晶が得られた。ＩＲ（赤外線吸収スペクトル）および元素分析値より目的物であることが確認された。
　【００３６】
　〔合成例３　トリフェニルボラン−アルキルアミン錯化合物〕
　メカニカルスターラー、冷却管、滴下ロート、温度計を取り付けた１Ｌの四つ口フラスコに、ファーミン８０（花王（株）の製品；炭素数１６の脂肪族アルキルアミン：６％、炭素数１８の脂肪族アルキルアミン：９２％、その他のアルキルアミン２％を含有するアルキルアミン組成物）を４２．８ｇを入れ、内温を７５℃まで上げる。結晶が完全に溶解した後、撹拌下、トリフェニルボランの水酸化ナトリウム付加物水溶液（合成例１に記載した試薬）５００．０ｇを１時間かけて、内温を７０℃〜７５℃に保ちながら、滴下する。滴下終了後、７０℃で３時間撹拌し、反応させる。その後、３０℃以下に冷却すると結晶が析出した。結晶を吸引濾取した後、水洗を行い、過剰の水酸化ナトリウムと未反応のアミンを除去した後、乾燥させると７４．５ｇ（収率９１％）の白色結晶が得られた。
　【００３７】
　得られた白色結晶には、トリフェニルボラン−ｎ−ヘキサデシルアミン錯化合物などのトリフェニルボラン−炭素数１６の脂肪族アルキルアミン錯化合物、トリフェニルボラン−ｎ−オクタデシルアミン錯化合物などのトリフェニルボラン−炭素数１８の脂肪族アルキルアミン錯化合物および原料に対応するその他のトリフェニルボラン−アルキルアミン錯化合物が含有されている。
　【００３８】
　合成例１または２と同様の方法で、炭素数３から３０までのあらゆるアルキルアミンに対応するトリフェニルボラン−アルキルアミン錯化合物を合成することができる。また、合成例３と同様の方法で、炭素数３から３０までの２種以上のアルキルアミン化合物を含有したアルキルアミン組成物を用いて、トリフェニルボラン−アルキルアミン組成物を合成することができる。用いることのできるアルキルアミン組成物は、任意の割合のアルキルアミンを含むものでもよく、他の化合物が含有されていてもよく、任意の割合の種々のアルキルアミン化合物を含むものでもよい。これらの方法で合成したトリフェニルボラン−アルキルアミン化合物または組成物の融点または形状および２０℃におけるキシレンに対する溶解度を表１にまとめた。
　【００３９】
　【表１】
　【００４０】
　〔実施例１〕
　次の処方例にしたがって、各成分を混合して漁網用防汚剤を調製した。以下、いずれの処方例でも得られた防汚剤は不溶物のない均一な溶液であった。なお、処方例１〜２０には、トリフェニルボラン−ｎ−プロピルアミン錯化合物、トリフェニルボラン−ｎ−オクチルアミン錯化合物、トリフェニルボラン−２−エチルヘキシルアミン錯化合物、トリフェニルボラン−ｎ−ドデシルアミン錯化合物、トリフェニルボラン−ｎ−オクタデシルアミン錯化合物のいずれかが有効成分として含有されており、また、処方例２１〜３０には、前記５錯化合物および下記１錯化合物以外のトリフェニルボラン−アルキルアミン錯化合物が有効成分として含有されている。また、処方例３１〜４０は、トリフェニルボラン−ｎ−ヘキサデシルアミン錯化合物または合成例３の反応組成物が有効成分として含有されている。
　【００４１】
処方例１
　　トリフェニルボラン−ｎ−プロピルアミン錯化合物　　　　　　　　１０％
　　ポリブテン（ＬＶ−５０）　　　　　　　　　　　　　　　　　　７．５％
　　黄色ワセリン　　　　　　　　　　　　　　　　　　　　　　　　７．５％
　　アクリル樹脂（５０％キシレン液）　　　　　　　　　　　　　　　２０％
　　キシレン　　　　　　　　　　　　　　　　　　　　　　　　　　　５５％
処方例２
　　トリフェニルボラン−ｎ−オクチルアミン錯化合物　　　　　　　　１０％
　　ポリブテン（ＬＶ−５０）　　　　　　　　　　　　　　　　　　７．５％
　　流動パラフィン（試薬）　　　　　　　　　　　　　　　　　　　７．５％
　　アクリル樹脂（５０％キシレン液）　　　　　　　　　　　　　　　２０％
　　キシレン　　　　　　　　　　　　　　　　　　　　　　　　　　　５５％
処方例３
　　トリフェニルボラン−２−エチルヘキシルアミン錯化合物　　　　　１０％
　　ポリブテン（ＬＶ−５０）　　　　　　　　　　　　　　　　　　７．５％
　　黄色ワセリン　　　　　　　　　　　　　　　　　　　　　　　　７．５％
　　アクリル樹脂（５０％キシレン液）　　　　　　　　　　　　　　　２０％
　　キシレン　　　　　　　　　　　　　　　　　　　　　　　　　　　５５％
処方例４
　　トリフェニルボラン−ｎ−ドデシルアミン錯化合物　　　　　　　　１０％
　　ポリブテン（ＬＶ−５０）　　　　　　　　　　　　　　　　　　７．５％
　　白色ワセリン　　　　　　　　　　　　　　　　　　　　　　　　７．５％
　　アクリル樹脂（５０％キシレン液）　　　　　　　　　　　　　　　２０％
　　キシレン　　　　　　　　　　　　　　　　　　　　　　　　　　　５５％
処方例５
　　トリフェニルボラン−ｎ−オクタデシルアミン錯化合物　　　　　　１０％
　　ポリブテン（ＬＶ−５０）　　　　　　　　　　　　　　　　　　７．５％
　　黄色ワセリン　　　　　　　　　　　　　　　　　　　　　　　　７．５％
　　アクリル樹脂（５０％キシレン液）　　　　　　　　　　　　　　　２０％
　　キシレン　　　　　　　　　　　　　　　　　　　　　　　　　　　５５％
　【００４２】
処方例６
　　トリフェニルボラン−ｎ−プロピルアミン錯化合物　　　　　　　　　８％
　　トリフェニルボラン−２−エチルヘキシルアミン錯化合物　　　　　　８％
　　ポリブテン（ＬＶ−５０）　　　　　　　　　　　　　　　　　　　　５％
　　白色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
処方例７
　　トリフェニルボラン−ｎ−プロピルアミン錯化合物　　　　　　　　　８％
　　トリフェニルボラン−ｎ−ドデシルアミン錯化合物　　　　　　　　　８％
　　ポリブテン（ＬＶ−５０）　　　　　　　　　　　　　　　　　　　　５％
　　黄色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
処方例８
　　トリフェニルボラン−ｎ−プロピルアミン錯化合物　　　　　　　　　８％
　　トリフェニルボラン−ｎ−オクタデシルアミン錯化合物　　　　　　　８％
　　ポリブテン（ＬＶ−５０）　　　　　　　　　　　　　　　　　　　　５％
　　黄色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
処方例９
　　トリフェニルボラン−２−エチルヘキシルアミン錯化合物　　　　　　８％
　　トリフェニルボラン−ｎ−ドデシルアミン錯化合物　　　　　　　　　８％
　　ポリブテン（ＬＶ−５０）　　　　　　　　　　　　　　　　　　　　５％
　　白色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
処方例１０
　　トリフェニルボラン−２−エチルヘキシルアミン錯化合物　　　　　　８％
　　トリフェニルボラン−ｎ−オクタデシルアミン錯化合物　　　　　　　８％
　　ポリブテン（ＬＶ−５０）　　　　　　　　　　　　　　　　　　　　５％
　　白色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
　【００４３】
処方例１１
　　トリフェニルボラン−ｎ−オクタデシルアミン錯化合物　　　　　　　８％
　　トリフェニルボラン−ｎ−ドデシルアミン錯化合物　　　　　　　　　８％
　　ポリブテン（ＬＶ−５０）　　　　　　　　　　　　　　　　　　　　５％
　　白色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
処方例１２
　　トリフェニルボラン−ｎ−プロピルアミン錯化合物　　　　　　　　　８％
　　トリフェニルボラン−第２級ブチルアミン錯化合物　　　　　　　　　８％
　　ジ第３級ノニルペンタスルフィッド　　　　　　　　　　　　　　　　５％
　　黄色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
処方例１３
　　トリフェニルボラン−２−エチルヘキシルアミン錯化合物　　　　　　８％
　　トリフェニルボラン−第２級ブチルアミン錯化合物　　　　　　　　　８％
　　ジ第３級ノニルペンタスルフィッド　　　　　　　　　　　　　　　　５％
　　流動パラフィン（試薬）　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
処方例１４
　　トリフェニルボラン−ｎ−ドデシルアミン錯化合物　　　　　　　　　８％
　　トリフェニルボラン−第２級ブチルアミン錯化合物　　　　　　　　　８％
　　ポリブテン（ＬＶ−５０）　　　　　　　　　　　　　　　　　　　　５％
　　白色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
処方例１５
　　トリフェニルボラン−ｎ−オクタデシルアミン錯化合物　　　　　　　８％
　　トリフェニルボラン−第２級ブチルアミン錯化合物　　　　　　　　　８％
　　ポリブテン（ＬＶ−５０）　　　　　　　　　　　　　　　　　　　　５％
　　白色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
　【００４４】
処方例１６
　　トリフェニルボラン−ｎ−プロピルアミン錯化合物　　　　　　　　　８％
　　１，３−ジシアノテトラクロロベンゼン　　　　　　　　　　　　　　８％
　　ポリブテン（ＬＶ−５０）　　　　　　　　　　　　　　　　　　　　５％
　　黄色ワセリン　　　　　　　　　　　　　　　　　　　　　　　　　　５％
　　アクリル樹脂（５０％キシレン液）　　　　　　　　　　　　　　　２０％
　　プソイドクメン　　　　　　　　　　　　　　　　　　　　　　　　１９％
　　ソルベントナフサ　　　　　　　　　　　　　　　　　　　　　　　３５％
処方例１７
　　トリフェニルボラン−ｎ−オクチルアミン錯化合物　　　　　　　　　８％
　　２，３−ジクロロ−Ｎ−ベンジルマレイミド　　　　　　　　　　　　８％
　　ポリブテン（ＬＶ−５０）　　　　　　　　　　　　　　　　　　　　５％
　　黄色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
処方例１８
　　トリフェニルボラン−２−エチルヘキシルアミン錯化合物　　　　　　８％
　　２，３−ジクロロ−Ｎ−（２−エチル−６−メチルフェニル）マレイミド
　　　　　　　　　　　　　　　　　　　　　　　　　　　　　　　　　　８％
　　ジ第３級ノニルペンタスルフィッド　　　　　　　　　　　　　　　　５％
　　黄色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
処方例１９
　　トリフェニルボラン−ｎ−ドデシルアミン錯化合物　　　　　　　　　８％
　　ノニルフェノール　　　　　　　　　　　　　　　　　　　　　　　　８％
　　ジ第３級ノニルペンタスルフィッド　　　　　　　　　　　　　　　　５％
　　白色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
処方例２０
　　トリフェニルボラン−ｎ−オクタデシルアミン錯化合物　　　　　　　８％
　　４，６−ジ第３級ブチル−ｍ−クレゾール　　　　　　　　　　　　　８％
　　ジ第３級ノニルペンタスルフィッド　　　　　　　　　　　　　　　　５％
　　流動パラフィン（試薬）　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
　【００４５】
処方例２１
　　トリフェニルボラン−ｎ−ブチルアミン錯化合物　　　　　　　　　１０％
　　ジ第３級ノニルペンタスルフィッド　　　　　　　　　　　　　　７．５％
　　流動パラフィン（試薬）　　　　　　　　　　　　　　　　　　　７．５％
　　アクリル樹脂（５０％キシレン液）　　　　　　　　　　　　　　　２０％
　　キシレン　　　　　　　　　　　　　　　　　　　　　　　　　　　５５％
処方例２２
　　トリフェニルボラン−ｎ−ヘキシルアミン錯化合物　　　　　　　　１０％
　　ジ第３級ノニルペンタスルフィッド　　　　　　　　　　　　　　７．５％
　　黄色ワセリン　　　　　　　　　　　　　　　　　　　　　　　　７．５％
　　アクリル樹脂（５０％キシレン液）　　　　　　　　　　　　　　　２０％
　　キシレン　　　　　　　　　　　　　　　　　　　　　　　　　　　５５％
処方例２３
　　トリフェニルボラン−第２級ブチルアミン錯化合物　　　　　　　　１０％
　　ポリブテン（ＬＶ−５０）　　　　　　　　　　　　　　　　　　７．５％
　　黄色ワセリン　　　　　　　　　　　　　　　　　　　　　　　　７．５％
　　アクリル樹脂（５０％キシレン液）　　　　　　　　　　　　　　　２０％
　　キシレン　　　　　　　　　　　　　　　　　　　　　　　　　　　５５％
処方例２４
　　トリフェニルボラン−ｎ−ブチルアミン錯化合物　　　　　　　　　　８％
　　２−（チオシアノメチルチオ）ベンゾチアゾール　　　　　　　　　　８％
　　ポリブテン（ＬＶ−５０）　　　　　　　　　　　　　　　　　　　　５％
　　黄色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
処方例２５
　　トリフェニルボラン−ｎ−ヘキシルアミン錯化合物　　　　　　　　　８％
　　テトラエチルチウラムジスルフィッド　　　　　　　　　　　　　　　８％
　　ポリブテン（ＬＶ−５０）　　　　　　　　　　　　　　　　　　　　５％
　　黄色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
　【００４６】
処方例２６
　　トリフェニルボラン−第２級ブチルアミン錯化合物　　　　　　　　　８％
　　２，３−ジクロロ−Ｎ−（２，６−ジエチルフェニル）マレイミド　　８％
　　ポリブテン（ＬＶ−５０）　　　　　　　　　　　　　　　　　　　　５％
　　白色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
処方例２７
　　トリフェニルボラン−ｎ−ブチルアミン錯化合物　　　　　　　　　　８％
　　トリフェニルボラン−ｎ−ヘキシルアミン錯化合物　　　　　　　　　８％
　　ポリブテン（ＬＶ−５０）　　　　　　　　　　　　　　　　　　　　５％
　　黄色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
処方例２８
　　トリフェニルボラン−第２級ブチルアミン錯化合物　　　　　　　　　８％
　　テトラエチルチウラムジスルフィッド　　　　　　　　　　　　　　　８％
　　ポリブテン（ＬＶ−５０）　　　　　　　　　　　　　　　　　　　　５％
　　黄色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
処方例２９
　　トリフェニルボラン−ｎ−ヘキシルアミン錯化合物　　　　　　　　　８％
　　２，３−ジクロロ−Ｎ−ベンジルマレイミド　　　　　　　　　　　　８％
　　ポリブテン（ＬＶ−５０）　　　　　　　　　　　　　　　　　　　　５％
　　黄色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
処方例３０
　　トリフェニルボラン−ｎ−ブチルアミン錯化合物　　　　　　　　　　８％
　　４，６−ジ第３級ブチル−ｍ−クレゾール　　　　　　　　　　　　　８％
　　ジ第３級ノニルペンタスルフィッド　　　　　　　　　　　　　　　　５％
　　流動パラフィン（試薬）　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
　【００４７】
処方例３１
　　トリフェニルボラン−ｎ−ヘキサデシルアミン錯化合物　　　　　　１０％
　　ポリブテン（ＬＶ−５０）　　　　　　　　　　　　　　　　　　７．５％
　　黄色ワセリン　　　　　　　　　　　　　　　　　　　　　　　　７．５％
　　アクリル樹脂（５０％キシレン液）　　　　　　　　　　　　　　　２０％
　　キシレン　　　　　　　　　　　　　　　　　　　　　　　　　　　５５％
処方例３２
　　トリフェニルボラン−ｎ−ヘキサデシルアミン錯化合物　　　　　　　２％
　　トリフェニルボラン−ｎ−オクタデシルアミン錯化合物　　　　　　１４％
　　ポリブテン（ＬＶ−５０）　　　　　　　　　　　　　　　　　　　　５％
　　流動パラフィン　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
処方例３３
　　トリフェニルボラン−ｎ−ヘキサデシルアミン錯化合物　　　　　　　８％
　　トリフェニルボラン−ｎ−ドデシルアミン錯化合物　　　　　　　　　８％
　　ポリブテン（ＬＶ−５０）　　　　　　　　　　　　　　　　　　　　５％
　　白色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
処方例３４
　　トリフェニルボラン−ｎ−ヘキサデシルアミン錯化合物　　　　　　　８％
　　１，３−ジジアノテトラクロロベンゼン　　　　　　　　　　　　　　４％
　　ジ第三級ノニルペンタスルフィッド　　　　　　　　　　　　　　　　８％
　　流動パラフィン　　　　　　　　　　　　　　　　　　　　　　　　　６％
　　アクリル樹脂（５０％キシレン液）　　　　　　　　　　　　　　　２０％
　　フソイドクメン　　　　　　　　　　　　　　　　　　　　　　　　２０％
　　ソルベントナフサ　　　　　　　　　　　　　　　　　　　　　　　３４％
処方例３５
　　トリフェニルボラン−ｎ−ヘキサデシルアミン錯化合物　　　　　　　８％
　　テトラエチルチウラムジスルフィッド　　　　　　　　　　　　　　　８％
　　ポリブテン（ＬＶ−５０）　　　　　　　　　　　　　　　　　　　　５％
　　流動パラフィン　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
　【００４８】
処方例３６
　　トリフェニルボラン−ｎ−ヘキサデシルアミン錯化合物　　　　　　　８％
　　２，３−ジクロロ−Ｎ−ベンジルマレイミド　　　　　　　　　　　　８％
　　ポリブテン（ＬＶ−５０）　　　　　　　　　　　　　　　　　　　　５％
　　黄色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
処方例３７
　　トリフェニルボラン−ｎ−ヘキサデシルアミン錯化合物　　　　　　　８％
　　ノニルフェノール　　　　　　　　　　　　　　　　　　　　　　　　８％
　　ジ第三級ノニルペンタスルフィッド　　　　　　　　　　　　　　　　５％
　　白色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５４％
処方例３８
　　合成例３により合成した反応組成物　　　　　　　　　　　　　　　１０％
　　ポリブテン（ＬＶ−５０）　　　　　　　　　　　　　　　　　　７．５％
　　黄色ワセリン　　　　　　　　　　　　　　　　　　　　　　　　７．５％
　　アクリル樹脂（５０％キシレン液）　　　　　　　　　　　　　　　２０％
　　キシレン　　　　　　　　　　　　　　　　　　　　　　　　　　　５５％
処方例３９
　　合成例３により合成した反応組成物　　　　　　　　　　　　　　　１０％
　　ポリブテン（ＬＶ−５０）　　　　　　　　　　　　　　　　　　７．５％
　　流動パラフィン（試薬）　　　　　　　　　　　　　　　　　　　７．５％
　　アクリル樹脂（５０％キシレン液）　　　　　　　　　　　　　　　２０％
　　キシレン　　　　　　　　　　　　　　　　　　　　　　　　　　　５５％
処方例４０
　　合成例３により合成した反応組成物　　　　　　　　　　　　　　　　８％
　　１，３−ジジアノテトラクロロベンゼン　　　　　　　　　　　　　　４％
　　ジ第三級ノニルペンタスルフィッド　　　　　　　　　　　　　　　　８％
　　流動パラフィン　　　　　　　　　　　　　　　　　　　　　　　　　６％
　　アクリル樹脂（５０％キシレン液）　　　　　　　　　　　　　　　２０％
　　フソイドクメン　　　　　　　　　　　　　　　　　　　　　　　　２０％
　　ソルベントナフサ　　　　　　　　　　　　　　　　　　　　　　　３４％
　【００４９】
　〔実験１〕
　本発明の実施例１（処方例１〜２６）の漁網用防汚剤をそれぞれ、テトロン製無結節網（１０００／２６３寸目）に浸漬塗布して風乾した後に、平成５年８月から４ヶ月間、北海道昆布森近海の海面下約１０ｍに浸海保持した。網の汚損状況を表２の基準により評価し、結果を表３にまとめた。
　【００５０】
　実験１の比較例の処方は次のとおりである。比較例２、３の処方で得られる防汚剤は、固体微粒子の分散液である。
比較例１
　　テトラエチルチウラムジスルフィッド　　　　　　　　　　　　　　１５％
　　アクリル樹脂（５０％キシレン液）　　　　　　　　　　　　　　　５０％
　　キシレン　　　　　　　　　　　　　　　　　　　　　　　　　　　３５％
比較例２
　　ビス（ジメチルジチオカルバモイル）エチレンビスジチオカルバミン酸亜鉛
　　　　　　　　　　　　　　　　　　　　　　　　　　　　　　　　　１０％
　　ポリブテン（ＬＶ−５０）　　　　　　　　　　　　　　　　　　　　５％
　　黄色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５５％
比較例３
　　トリフェニルボラン−ピリジン錯化合物　　　　　　　　　　　　　１０％
　　ポリブテン（ＬＶ−５０）　　　　　　　　　　　　　　　　　　　　５％
　　黄色ワセリン　　　　　　　　　　　　　　　　　　　　　　　　　　５％
　　アクリル樹脂（５０％キシレン液）　　　　　　　　　　　　　　　２０％
　　キシレン　　　　　　　　　　　　　　　　　　　　　　　　　　　５５％
　【００５１】
　【表２】
　【００５２】
　【表３】
付着生物は、ほとんどがヒドロ虫であった。
　【００５３】
　表３より、処方例１〜２６のすべてにおいて少なくとも３ヶ月間は浸海した漁網にヒドロ虫が全く付着せず、比較例２、３と同等以上の効力を持つことがわかった。すなわち、本発明のトリフェニルボラン−アルキルアミン錯化合物は、ヒドロ虫などの腔腸動物に対し、ビス（ジメチルジチオカルバモイル）エチレンビスジチオカルバミン酸亜鉛、および、トリフェニルボラン−ピリジン錯化合物と同等以上の極めて強力な持続性のある実用的な効果を示すことが判明した。
　【００５４】
　〔実験２〕
　本発明の実施例１（処方例１〜３０）の漁網用防汚剤をそれぞれ、ポリエチレン製無結節網（６節、４００デニール／６０本）に浸漬塗布して風乾した後に、平成６年４月から６ヶ月間、和歌山県田辺湾内の海面下約０．５ｍに浸海保持した。網の汚損状況を表２の基準により評価し、結果を表４にまとめた。
　【００５５】
　比較例の処方は次のとおりである。
比較例１　テトラエチルチウラムジスルフィッド　　１５％
　　　　　アクリル樹脂（５０％キシレン液）　　　５０％
　　　　　キシレン　　　　　　　　　　　　　　　３５％
　【００５６】
　【表４】
　【００５７】
　比較例１、および、無処理網には、フジツボやカサネカンザシをはじめとする多数の付着生物が付着した。一方、処方例１〜２０では、６ヶ月間浸海したすべての網に貝類、管棲多毛類、および、その他の生物の付着が全く認められなかった。
　【００５８】
　〔実験３〕
　本発明の実施例１（処方例３１〜４０）の漁網用防汚剤をそれぞれ、ポリエチレン製無結節網（６節、４００デニール／６０本）に浸漬塗布して風乾した後に、平成７年４月から６ヶ月間、和歌山県田辺湾内の海面下約０．５ｍに浸海保持した。網の汚損状況を表２の基準により評価し、結果を表５にまとめた。
　【００５９】
　比較例の処方は次のとおりである。
比較例１　テトラエチルチウラムジスルフィッド　　１５％
　　　　　アクリル樹脂（５０％キシレン液）　　　５０％
　　　　　キシレン　　　　　　　　　　　　　　　３５％
　【００６０】
　【表５】
　【００６１】
　比較例１、および、無処理網には、フジツボやカサネカンザシをはじめとする多数の付着生物が付着した。一方、処方例３１〜４０のすべてにおいて、少なくとも６ヶ月間浸海したすべての網に貝類、管棲多毛類、および、その他の生物の付着が全く認められなかった。試薬のアルキルアミン化合物より合成したトリフェニルボラン−アルキルアミン錯化合物、工業製品のアルキルアミン組成物より合成したトリフェニルボラン−アルキルアミン組成物のいずれも極めて強力な効果を示すことが判明した。
　【００６２】
　すなわち、Ｒ１がｎ−オクチル、２−エチルヘキシル、ｎ−ドデシル、ｎ−ヘキサデシル、ｎ−オクタデシルであるところのトリフェニルボラン−アルキルアミン錯化合物、言い換えると、Ｒ１の炭素数が８から１８である錯化合物を有効成分とする漁網防汚剤、および、Ｒ１がｎ−プロピルアミンである錯化合物を有効成分とする漁網防汚剤は、単独のものでも、他の有効成分と併用させたものでも、極めて強力な持続性のある実用的効果を示すことが判明した。加えて、アルキルアミン組成物から合成されたトリフェニルボラン−アルキルアミン組成物も、上記の有効成分と同様に、極めて強力な持続性のある実用的効果を示すことが判明した。
　【００６３】
　処方例２１〜３０においては４ヶ月以後、若干の生物の付着が認められた。しかし、少なくとも４ヶ月間は網に生物が全く付着せず、十分に実用的な効果を持つことが判明した。すなわち、Ｒ１が、ｎ−ブチル、ｎ−ヘキシル、第２級ブチルであるところのトリフェニルボラン−アルキルアミン錯化合物、言い換えると、Ｒ１の炭素数が３、または、８から１８ではない錯化合物を有効成分とする漁網防汚剤でさえ、十分に実用的な効果を示す事が判明した。特に、フジツボなどの貝類、および、カサネカンザシなどの管棲多毛類の付着に対し非常に有効であった事実は特記すべき事柄である。
　【００６４】
　【発明の効果】
　実験１、２および３の結果より、本発明のトリフェニルボラン−アルキルアミン錯化合物を有効成分とする漁網防汚剤は、あらゆる海棲付着生物に対して、優れた効果を持つことがわかった。特に、従来の防汚剤では、付着防止が困難であり、かつ、付着すると非常に被害の大きいヒドロ虫などの腔腸動物、フジツボなどの貝類、カサネカンザシなどの管棲多毛類に対し、非常に有効であることが判明した。さらに、本発明の錯化合物は、キシレンなどの有機溶剤に可溶であるため、均一の溶解型漁網防汚剤を製剤でき、網染めの作業性などを著しく向上させた点で、分散型の漁網防汚剤より優れている。すなわち、本発明は、ヒドロ虫などの腔腸動物、フジツボなどの貝類、および、カサネカンザシなどの管棲多毛類を始めとするすべての付着生物に対し有効であり、かつ、作業性のよい有機溶剤溶解型の漁網防汚剤を提供するものである。また、本防汚剤は、毒性が低く安全性が高いことが確認されている。